(57)【要約】【課題】分離した窒素ガスを効率よく回収でき、高濃度の窒素ガスを得るために要する時間や電力量が抑えられ、エネルギー効率のよい窒素ガス濃縮システムを提供すること。【解決手段】分子篩炭素が充填された２基以上の吸着塔間で、原料ガスに含まれる酸素ガスの吸着および脱着を交互に繰り返して窒素ガスを濃縮するシステムであり、窒素ガスが貯留される貯留空間を備える貯留庫と、ガス循環経路と、２基以上の吸着塔を含む窒素分離装置と、原料ガスを吸引し、吸着塔内の圧力が０．０５〜０．１５ＭＰａとなるように窒素分離装置に供給するブロワーと、分子篩炭素に吸着された酸素ガスを脱着する真空ポンプとを備える窒素ガス濃縮システム。【選択図】図１
2015024349.tif 000002
【特許請求の範囲】
【請求項１】
分子篩炭素が充填された２基以上の吸着塔間で、窒素ガスと酸素ガスとを含む原料ガスのうち、前記酸素ガスの吸着および脱着を交互に繰り返して前記窒素ガスを濃縮する窒素ガス濃縮システムであって、
濃縮された前記窒素ガスが貯留される貯留空間を備える貯留庫と、
前記貯留空間に一端と他端とが接続されたガス循環経路と、
前記ガス循環経路内に配置された前記２基以上の吸着塔を含む窒素分離装置と、
前記ガス循環経路のうち、前記窒素分離装置の上流側に配置され、前記原料ガスを吸引し、前記吸着塔内の圧力が０．０５〜０．１５ＭＰａとなるように前記窒素分離装置に供給するブロワーと、
前記分子篩炭素に吸着された前記酸素ガスを脱着する真空ポンプと、
を備える窒素ガス濃縮システム。
【請求項２】
前記貯留空間内の酸素ガス濃度を測定する酸素濃度計と、
前記２基以上の吸着塔の下流側であって前記貯留庫の上流側に配置され、前記酸素濃度計の検出値に応じて、前記貯留空間内に供給される濃縮された前記窒素ガスの流量を制御する流量調節装置とをさらに備える、請求項１記載の窒素ガス濃縮システム。
【請求項３】
前記ブロワーの下流側に配置され、前記窒素分離装置に供給される前記原料ガスを冷却する冷却装置をさらに備える、請求項１または２記載の窒素ガス濃縮システム。
【請求項４】
前記ブロワーの上流側と下流側とを接続する接続管路と、
前記接続管路内に配置され、前記ブロワーから排出された前記原料ガスを、前記ブロワーの上流側へ戻す原料ガス圧調整装置とをさらに備える、請求項１〜３のいずれか１項に記載の窒素ガス濃縮システム。
【請求項５】
前記貯留庫は、青果物を保存するための保管庫である、請求項１〜４のいずれか１項に記載の窒素ガス濃縮システム。
【請求項６】
前記貯留庫は、書物の薫蒸、煙草の薫蒸または文化財の殺虫処理を行うための処理庫である、請求項１〜４のいずれか１項に記載の窒素ガス濃縮システム。
【発明の詳細な説明】
【技術分野】
【０００１】
本発明は窒素ガス濃縮システムに関する。より詳細には、窒素ガスと酸素ガスとを含む原料ガスから窒素ガスを分離濃縮し、倉庫等の内部空間に高濃度の窒素ガスを含む製品ガスを貯留させることのできる窒素ガス濃縮システムに関する。
【背景技術】
【０００２】
従来、倉庫等の内部空間に高濃度の窒素ガスを貯留させることにより、たとえば庫内に配置された青果物の保存性を高める技術が知られている。一般的に、このような高濃度の窒素ガスは、窒素分離装置により原料ガス（通常は空気）から分離された窒素ガスと、庫内のガスとを置換する操作を繰り返すことにより生成される。このように、庫内の窒素ガス濃度を高める方法として、圧力スイング吸着法（以下、ＰＳＡ（Ｐｒｅｓｓｕｒｅ  Ｓｗｉｎｇ  Ａｄｓｏｒｐｔｉｏｎ）法ともいう）が注目されている。
【０００３】
ＰＳＡ法では、通常は分子篩炭素が充填された２基の吸着塔が使用される。具体的には、ＰＳＡ法では、一方の吸着塔に空気を加圧供給して酸素ガスの吸着を行い、主に窒素ガスを製品ガスとして分離して取り出すとともに、その間に他方の吸着塔を脱着に付し、両吸着塔間で酸素ガスの吸着と脱着とを交互に繰り返すことにより、分子篩炭素による酸素ガスと窒素ガスとの吸着速度差を利用して連続的に窒素ガスを得ている（特許文献１）。
【０００４】
また、２基の吸着塔と倉庫等を循環ラインにより接続するとともに、一方の吸着塔における酸素ガス吸着時の圧力を０．２〜０．３ＭＰａ（２〜３ｋｇ／ｃｍ２）とし、他方の吸着塔を５０Ｔｏｒｒ程度に真空引きして酸素ガスを脱着する循環システムも知られている（特許文献２）。
【先行技術文献】
【特許文献】
【０００５】
【特許文献１】特開２００２−１５９８２０号公報
【特許文献２】特開昭６２−２３６４１４号公報
【発明の概要】
【発明が解決しようとする課題】
【０００６】
しかしながら、庫内の窒素ガス濃度を高める従来のＰＳＡ法では、吸着塔における吸着時の圧力を０．７〜０．９ＭＰａ程度とし、脱着時の圧力を１００Ｔｏｒｒ（−０．０９ＭＰａ〜大気圧（０ＭＰａ）程度とする条件が採用されている。このような条件では、吸着時の圧力が高いため、吸着剤の量が少なくて済み、特許文献２のシステムと比較して窒素分離装置の大きさを小さくすることができるが、庫内に貯留された窒素ガスは循環利用されず、あらたに分離された窒素ガスを庫内に供給する代わりに、庫内のガスが一部排気される。そのため、窒素濃度が高まりつつある庫内のガスが排気されてしまい、効率が悪いという問題がある。また、特許文献２に記載の循環システムでは、吸着および脱着の間に２基の吸着塔を連通させる際（均圧時）、それぞれの吸着塔内に、原料ガスから分離された窒素ガスを含むガスの残圧が発生する。このように残圧が発生した吸着塔の一方は、続いて酸素ガスの脱着工程に付されるため、塔内のガス（分離された窒素ガスを含む）は、排気されることとなる。そのため、従来の循環システムは、分離した窒素ガスを効率よく回収できず、高濃度の窒素ガスを得るために要する時間や電力量が増え、エネルギー効率が悪いという問題がある。
【０００７】
本発明は、このような従来の事情に鑑みてなされたものであり、分離した窒素ガスを効率よく回収でき、高濃度の窒素ガスを得るために要する時間や電力量が抑えられ、エネルギー効率のよい窒素ガス濃縮システムを提供することを目的とする。
【課題を解決するための手段】
【０００８】
上記課題を解決する本発明の一局面の窒素ガス濃縮システムは、分子篩炭素が充填された２基以上の吸着塔間で、窒素ガスと酸素ガスとを含む原料ガスのうち、前記酸素ガスの吸着および脱着を交互に繰り返して前記窒素ガスを濃縮する窒素ガス濃縮システムであって、濃縮された前記窒素ガスが貯留される貯留空間を備える貯留庫と、前記貯留空間に一端と他端とが接続されたガス循環経路と、前記ガス循環経路内に配置された前記２基以上の吸着塔を含む窒素分離装置と、前記ガス循環経路のうち、前記窒素分離装置の上流側に配置され、前記原料ガスを吸引し、前記吸着塔内の圧力が０．０５〜０．１５ＭＰａとなるように前記窒素分離装置に供給するブロワーと、前記分子篩炭素に吸着された前記酸素ガスを脱着する真空ポンプとを備えることを特徴とする。
【０００９】
このような窒素ガス濃縮システムによれば、吸着時の吸着塔内の圧力が従来よりも低いため、均圧時に吸着塔間を連通した場合に略大気圧か負圧となり、窒素ガスの残圧が発生しにくい。そのため、原料ガスから分離された窒素ガスは、排気される量が減り、効率よく回収される。また、従来のように高圧でコンプレッサ等を使用する場合と比較して、ブロワーを上記圧力範囲で運転して原料ガスを吸着塔に供給する場合、同じ原料ガス量から得られる分離された窒素ガス量が増え、効率よく目標の窒素ガス濃度が達成される。その結果、本発明の窒素ガス濃縮システムは、従来よりも、システムの運転時間が短縮される。したがって、本発明の窒素ガス濃縮システムによれば、優れたエネルギー効率が達成される。
【００１０】
上記構成において、窒素ガス濃縮システムは、前記貯留空間内の酸素ガス濃度を測定する酸素濃度計と、前記２基以上の吸着塔の下流側であって前記貯留庫の上流側に配置され、前記酸素濃度計の検出値に応じて、前記貯留空間内に供給される濃縮された前記窒素ガスの流量を制御する流量調節装置とをさらに備えることが好ましい。
【００１１】
このような窒素ガス濃縮システムによれば、たとえば貯留空間内の酸素ガス濃度が高い場合（すなわち窒素ガス濃度が低い場合）には、貯留空間に供給される窒素ガス流量が多くなるよう制御して窒素ガス濃度を素早く上昇させ、その後、貯留空間内の酸素ガス濃度が低くなった場合（すなわち窒素ガス濃度が高められた場合）には、貯留空間に供給される窒素ガス流量が少なくなるように制御して、置換効率を高めることができる。その結果、効率よく窒素ガス濃度が高められ、システムの運転時間がさらに短縮される。
【００１２】
上記構成において、窒素ガス濃縮システムは、前記ブロワーの下流側に配置され、前記窒素分離装置に供給される前記原料ガスを冷却する冷却装置をさらに備えることが好ましい。このような冷却装置は、ブロワーにより加圧された原料ガスの温度を下げることができる。その結果、吸着塔において吸着される酸素ガスの量が増え、分離される窒素ガスの量が増える。
【００１３】
上記構成において、窒素ガス濃縮システムは、前記ブロワーの上流側と下流側とを接続する接続管路と、前記接続管路内に配置され、前記ブロワーから排出された前記原料ガスを、前記ブロワーの上流側へ戻す原料ガス圧調整装置とをさらに備えることが好ましい。
【００１４】
このような原料ガス圧調整装置は、たとえば、２基の吸着塔を連通させる均圧工程のように、吸着塔への原料ガスの供給が遮断される際に、原料ガスをブロワーの前後において循環させておくことができる。その結果、吸着塔の上流側において原料ガスが必要以上に加圧されることを防ぐことができるとともに、ブロワーの故障を防ぐことができる。ほかにも、たとえば原料ガスを供給しない均圧工程や、吸着塔内の圧力が高まって原料ガスが供給されにくくなった吸着工程の後半など、加圧された原料ガスが余剰に存在している場合には、ブロワーにより余剰の原料ガスが大気中に放出されることを防ぐことができる。これにより、窒素分離装置への大気ガスの吸入を低減することができ、窒素分離装置の性能低下を防ぐことができる。さらに、冷却装置が備えられている場合には、冷却装置への負担が軽減される。あるいは、冷却装置により原料ガスが充分に冷却され、吸着塔における酸素ガスの吸着率が向上し得る。
【００１５】
前記貯留庫は、青果物を保存するための保管庫であることが好ましい。この場合、窒素ガス濃縮システムは、青果物の保管庫に必要な窒素ガス濃度になるよう、貯留空間内の窒素ガス濃度を効率よく高めることができる。
【００１６】
前記貯留庫は、書物の薫蒸、煙草の薫蒸または文化財の殺虫処理を行うための処理庫であることが好ましい。この場合、窒素ガス濃縮システムは、たとえば図書館に貯蔵されている書物の薫蒸、煙草の薫蒸または文化財の殺虫処理を行うために必要な窒素ガス濃度になるよう、貯留空間内の窒素ガス濃度を効率よく高めることができる。
【発明の効果】
【００１７】
本発明によれば、分離した窒素ガスを効率よく回収でき、高濃度の窒素ガスを得るために要する時間や電力量が抑えられ、エネルギー効率のよい窒素ガス濃縮システムを提供することができる。
【図面の簡単な説明】
【００１８】
【図１】図１は、本発明の一実施形態（第１の実施形態）の窒素ガス濃縮システムの概略図である。
【図２】図２は、原料ガスから窒素ガスを分離する工程を示すフロー図である。
【図３】図３は、本発明の一実施形態（第２の実施形態）の窒素ガス濃縮システムの概略図である。
【図４】図４は、実施例１における、窒素ガス濃縮システムの運転時の製品ガス中の窒素ガス濃度と、貯留空間内の窒素ガス濃度との経時変化を示すグラフである。
【図５】図５は、窒素ガス濃度が９８体積％に到達するまでに要した時間（到達時間）と吸着時の圧力との関係を示すグラフである。
【図６】図６は、窒素ガスが９８体積％に到達するまでに要した消費電力量と吸着時の圧力との関係を示すグラフである。
【図７】図７は、従来の窒素ガス濃縮システムの概略図である。
【発明を実施するための形態】
【００１９】
（第１の実施形態）
＜窒素ガス濃縮システム＞
以下、本発明の窒素ガス濃縮システムの実施形態について、図面を参照しながら説明する。図１は、本発明の一実施形態の窒素ガス濃縮システムの概略図である。
【００２０】
図１に示されるように、窒素ガス濃縮システム１００は、貯留庫２００と、ガス循環経路３００と、ブロワー４００と、窒素分離装置５００と、真空ポンプ６００とを備える。窒素ガス濃縮システム１００は、貯留庫２００と窒素分離装置５００とを接続するガス循環経路３００を有し、ブロワー４００によりガス循環経路３００内を循環する原料ガス（後述する貯留庫２００に貯留されたガスと外部から吸入したガス（大気）との混合ガスであり、酸素ガスおよび窒素ガスを含む。以下同様）を加圧して、窒素分離装置５００に供給する。窒素分離装置５００では、原料ガスから酸素ガスを吸着することにより、窒素ガスが分離濃縮された製品ガスを調製する。真空ポンプ６００は、吸着された酸素ガスの脱着を補助する。得られた製品ガスは、ガス循環経路３００を流通し、貯留庫２００に戻される。貯留庫２００に戻された製品ガスは、必要に応じて、原料ガスとして循環経路３００を再び循環され、窒素ガス濃度が高められ、最終的に所望の窒素ガス濃度を有する製品ガスとして貯留される。本実施形態の窒素ガス濃縮システム１００では、特に、原料ガスがブロワー３００により適切に加圧されて窒素分離装置５００に供給される。その結果、高濃度の窒素ガスを含む製品ガスが従来よりも短時間かつ少ない電力量で得られる。以下、この機構の詳細について、貯留庫２００を起点として、ガスの流通方向に沿って説明する。
【００２１】
（貯留庫）
貯留庫２００は、ガス循環経路３００を循環するガス（後述する原料ガスおよび製品ガスを含む）が貯留される貯留空間２１０を備える比較的大きな箱体である。貯留庫２００には、貯留空間２１０内の酸素ガス濃度を測定するための酸素濃度計、圧力計、湿度計などの各種計測器が備えられていてもよい。貯留庫２００には、貯留空間２１０の開口部（図示せず）を閉止する扉部材（図示せず）が設けられており、貯留庫２００を後述する用途（たとえば青果物の貯蔵庫）に使用する場合において、貯留対象物（たとえば青果物）を搬入出することができる。
【００２２】
（ガス循環経路）
ガス循環経路３００は、貯留空間２１０内のガスや、吸入される空気等のガスが循環する環状の経路である。ガス循環経路３００の一端と他端とは、それぞれ貯留空間２１０と接続されており、貯留空間２１０に貯留されたガスが、ガス循環経路３００を流通し、再度貯留空間２１０に供給されるよう構成されている。また、ガス循環経路３００には、いずれかの位置に外気（大気）を経路内に吸入するための外気吸入口が設けられる。本実施形態では、貯留庫２００の下流側であってブロワー４００の上流側に、接続管路７１０を介して外気吸入口７００が設けられている。このような外気吸入口からは、貯留庫２００内が負圧にならないよう外気が吸入される。外気の吸入は、後述するブロワー４００を駆動させて吸引力を発生させることにより行われる。また、上記した貯留庫２００の貯留空間２１０内は、外気の侵入を防ぎ、かつ、加圧や真空にされることにより貯留庫２００そのものが破壊されることがないように微加圧状態に調整されている。そのため、ブロワー４００を駆動させて吸引力を発生させた場合には、微加圧状態の貯留空間２１０から押し出されるガスが主に循環経路３００内を循環し、原料ガスとしての不足分が外気吸入口７００から吸入される外気により補われる。なお、本実施形態では、説明の明瞭化のため、貯留庫２００から後述する窒素分離装置５００の吸着塔に至るまでのガス循環経路３００を流通するガスを「原料ガス」といい、窒素分離装置５００の吸着塔により窒素ガス濃度が高められ、貯留庫２００に至るまでのガス循環経路３００を流通するガスを「製品ガス」という。そのため、貯留庫２００に供給された製品ガスが貯留庫２００からガス循環経路３００を流通して再度窒素分離装置５００に向かう場合には、このような製品ガスは、原料ガスとして取り扱うこととする。
【００２３】
ガス循環経路３００を循環する原料ガスは、上記のとおり、貯留庫２００に貯留されたガスと外部から吸入したガス（大気）との混合ガスであり、酸素ガスおよび窒素ガスを含む。なお、原料ガスには炭酸ガスなどの他のガスが少量含まれていてもよい。
【００２４】
（ブロワー）
ブロワー４００は、後述する窒素分離装置５００の上流側に配置された送風設備であり、原料ガスを加圧して、窒素分離装置５００に供給する。本実施形態では、ブロワー４００は、窒素分離装置５００に設けられた吸着塔内の圧力が０．０５〜０．１５ＭＰａとなるように、原料ガスを窒素分離装置５００に供給する。上記圧力の範囲は、省エネルギー化を図る観点から０．０５〜０．１５ＭＰａであればよいが、さらなるエネルギー効率を考慮すると０．０５〜０．１３ＭＰａであることが好ましく、０．０５〜０．１０ＭＰａであることがより好ましい。また、配管の太さ等の装置設計も踏まえて考慮すると、０．０８〜０．１０ＭＰａであることがさらに好ましい。ブロワー４００は、吸着塔内の圧力が０．０５〜０．１５ＭＰａという従来よりも低い圧力となるように原料ガスを供給することにより、酸素ガスの吸着後に均圧化された両吸着塔内の圧力が、略大気圧か負圧となる（後述する（ｉｉ）および（ｉｖ）の段階を参照）。その結果、均圧工程において吸着塔内に存在する製品ガスの残圧が低くなるため、続く脱着工程において排気される製品ガスの量を減らすことができる。したがって、大気ガスの吸込み量が減少し、原料ガス中の酸素濃度が低下するため、効率よく高濃度の窒素ガスを含む製品ガスを得ることができ、エネルギー効率が向上する。
【００２５】
（窒素分離装置）
窒素分離装置５００は、ガス循環経路３００の経路内に配置された装置であり、原料ガスから酸素ガスを除去することにより窒素ガスを分離濃縮して、窒素ガス濃度が高められた製品ガスを製造するための装置である。窒素分離装置５００は、２基の吸着塔（吸着塔５１０ａおよび吸着塔５１０ｂ）と、製品槽５２０と、酸素濃度計５３０と、流量計５４０とを備える。それぞれの構成要素間は、適宜分岐するガス循環経路３００により接続されている。窒素分離装置５００内のガス循環経路３００には、経路を開閉するバルブＶ１〜Ｖ１０が設置されている。バルブＶ１〜Ｖ１０は、それぞれ独立に制御されるバルブ（たとえば電磁弁）である。具体的には、バルブＶ１およびＶ３は、それぞれ吸着塔５１０ａおよび吸着塔５１０ｂに供給される原料ガスが通過するガス循環経路３００を開閉する入口弁である。バルブＶ２およびＶ４は、それぞれ吸着塔５１０ａおよび吸着塔５１０ｂから排気されるガスが通過するガス循環経路３００を開閉する排気弁である。バルブＶ５およびＶ６は、それぞれ吸着塔５１０ａおよび吸着塔５１０ｂから取り出される製品ガスが通過するガス循環経路３００を開閉する出口弁である。バルブＶ７およびＶ８は、後述する均圧工程においてガスが通過するガス循環経路３００を開閉する均圧弁である。バルブＶ９は、後述する外気（空気）を排気管３１０に供給するための供給配管３２０を開閉する外気供給弁である。バルブＶ１０は、貯留空間２１０に供給される製品ガスの通過するガス循環経路３００を開閉する調節弁である。これらバルブＶ１〜Ｖ１０は、タイマー設定された制御装置（図示せず）により電気的に開閉を制御することができる。
【００２６】
吸着塔５１０ａおよび吸着塔５１０ｂには、それぞれ酸素ガスを吸着する分子篩炭素が充填されている。分子篩炭素とは、多数の細孔を備える木炭、石炭、コークス、やし殻、樹脂、ピッチなどの原料を高温で炭化し、細孔径を約３〜５Åに調整した木質系、石炭系、樹脂系、ピッチ系などの吸着剤である。このような分子篩炭素は、窒素ガスよりも酸素ガスを吸着しやすい性質を有しており、空気等の窒素ガスと酸素ガスとを含む混合気体から、酸素ガスを選択的に吸着する性質を有する。また、分子篩炭素は、高圧条件下において酸素ガスの吸着能が増大する。そのため、分子篩炭素は、吸着塔内を加圧することにより酸素ガスを多く吸着することができ、その後、吸着塔内を減圧することにより酸素ガスを脱着させることができる。このような分子篩炭素の具体例としては、たとえばクラレケミカル（株）製の商品名ＧＮ−ＵＣ−Ｈ、１．５ＧＮ−Ｈ、１．５ＧＮ−Ｓなどが挙げられる。窒素分離装置５００では、吸着塔５１０ａおよび吸着塔５１０ｂにより酸素ガスの吸着および脱着を交互に繰り返し、原料ガスから窒素ガスを分離濃縮して製品ガスを調製する。
【００２７】
図１に加えて図２を参照し、窒素ガス濃縮システム１００において、原料ガスから窒素ガスを分離濃縮する流れを具体的に説明する。図２は、原料ガスから窒素ガスを分離する工程を示すフロー図である。窒素ガスは、それぞれの吸着塔において、吸着工程、均圧工程（放出）、脱着工程および均圧工程（回収）を１サイクルとする工程を経て原料ガスから分離濃縮される。その際、一方の吸着塔が吸着工程に付されている間、他方の吸着塔は、脱着工程に付されるよう上記した各バルブが制御される。
【００２８】
具体的には、図２に示されるように、吸着塔５１０ａが吸着工程に付されている間、吸着塔５１０ｂは脱着工程に付される（（ｉ）の段階）。また、吸着塔５１０ａが均圧工程（放出）に付されている間、吸着塔５１０ｂは均圧工程（回収）に付され（（ｉｉ）の段階）、吸着塔５１０ａが脱着工程に付されている間、吸着塔５１０ｂは吸着工程に付され（（ｉｉｉ）の段階）、吸着塔５１０ａが均圧工程（回収）に付されている間、吸着塔５１０ｂは均圧工程（放出）に付される（（ｉｖ）の段階）。以下、それぞれの段階について詳細に説明する。
【００２９】
＜（ｉ）の段階＞
（ｉ）の段階は、吸着塔５１０ａが吸着工程に付され、吸着塔５１０ｂが脱着工程に付される段階である。具体的には、（ｉ）の段階では、バルブＶ２、バルブＶ３およびバルブＶ６〜Ｖ９が閉止され、バルブＶ１、バルブＶ４、バルブＶ５およびバルブＶ１０が開放される。そのため、窒素分離装置５００に供給される原料ガスは、吸着塔５１０ａに供給される。吸着塔５１０ａでは、供給された原料ガスのうち、酸素ガスが吸着され、分離された窒素ガスが製品槽５２０に送られる。製品槽５２０は、分離された窒素ガスを製品ガスとして適宜貯留する一次貯留空間５２１を有する箱体である。その後、製品ガスは、ガス循環経路３００内を流通し、貯留空間２１０に供給される。この際、上記のとおり、吸着塔５１０ａ内における圧力は、０．０５〜０．１５ＭＰａの範囲内となるように、ブロワー４００または後述する原料ガス圧調整装置９００が備えられている場合には原料ガス圧調整装置９００の運転条件により調整される。一方、吸着塔５１０ｂに吸着された酸素ガスは、真空ポンプ６００により吸引され、吸着塔５１０ｂから脱着して窒素分離装置５００の外部（通常は大気中）に放出される。
【００３０】
＜（ｉｉ）の段階＞
（ｉｉ）の段階は、吸着塔５１０ａが均圧工程（放出）に付され、吸着塔５１０ｂが均圧工程（回収）に付される段階である。具体的には、（ｉｉ）の段階では、バルブＶ１〜Ｖ６が閉止され、バルブＶ７〜Ｖ９およびバルブＶ１０が開放される。そのため、吸着塔５１０ａと吸着塔５１０ｂとは連通され、両吸着塔内は均圧化される。この際、直前に吸着工程が行われていた吸着塔５１０ａは、吸着塔５１０ｂよりも高圧であるため、吸着塔５１０ａのガスが吸着塔５１０ｂに流入する。
【００３１】
しかしながら、本実施形態の窒素ガス濃縮システム１００によれば、上記のとおり吸着時の吸着塔５１０ａ内の圧力が０．０５〜０．１５ＭＰａと従来よりも低圧に制御されている。そのため、均圧工程で吸着塔間を連通した場合であっても、吸着塔５１０ａから吸着塔５１０ｂに流入するガス（分離された窒素ガスを含む）の量は少なく、略大気圧か負圧となるように均圧化される。
【００３２】
＜（ｉｉｉ）の段階＞
（ｉｉｉ）の段階は、吸着塔５１０ａが脱着工程に付され、吸着塔５１０ｂが吸着工程に付される段階である。具体的には、（ｉｉｉ）の段階では、バルブＶ１、バルブＶ４、バルブＶ５およびバルブＶ７〜Ｖ９が閉止され、バルブＶ２、バルブＶ３、バルブＶ６およびバルブＶ１０が開放される。そのため、窒素分離装置５００に供給される原料ガスは、吸着塔５１０ｂに供給される。吸着塔５１０ｂでは、供給された原料ガスのうち、酸素ガスが吸着され、分離された窒素ガスが製品槽５２０に送られる。その後、製品ガスは、ガス循環経路３００内を流通し、貯留空間２１０に供給される。この際、（ｉ）の段階と同様に、吸着塔５１０ｂ内における圧力が、０．０５〜０．１５ＭＰａの範囲内となるように、ブロワー４００または後述する原料ガス圧調整装置９００が備えられている場合には原料ガス圧調整装置９００の運転条件により調整される。一方、吸着塔５１０ａに吸着された酸素ガスは、真空ポンプ６００により吸引され、吸着塔５１０ａから脱着して窒素分離装置５００の外部（通常は大気中）に放出される。窒素ガス濃縮システム１００では、（ｉｉ）の段階において均圧化された際に、吸着塔５１０ｂ内は略大気圧か負圧となっており、従来のシステムのような大きな残圧は発生していない。そのため、（ｉｉｉ）の段階において吸着塔５１０ａから排気される窒素ガスは、均圧工程時に大きな残圧を生じる従来のシステムと比較して少ない。
【００３３】
＜（ｉｖ）の段階＞
（ｉｖ）の段階は、吸着塔５１０ａが均圧工程（回収）に付され、吸着塔５１０ｂは均圧工程（放出）に付される段階である。具体的には、（ｉｖ）の段階では、バルブＶ１〜Ｖ６が閉止され、バルブＶ７〜Ｖ９およびバルブＶ１０が開放される。そのため、吸着塔５１０ａと吸着塔５１０ｂとは連通され、両吸着塔内は均圧化される。この際、直前に吸着工程が行われていた吸着塔５１０ｂは、吸着塔５１０ａよりも高圧であるため、吸着塔５１０ｂのガスが吸着塔５１０ａに流入する。
【００３４】
しかしながら、本実施形態の窒素ガス濃縮システム１００によれば、上記のとおり吸着時の吸着塔５１０ｂ内の圧力が０．０５〜０．１５ＭＰａと従来よりも低圧に制御されている。そのため、均圧工程で吸着塔間を連通した場合であっても、吸着塔５１０ｂから吸着塔５１０ａに流入するガス（分離された窒素ガスを含む）の量は少なく、略大気圧か負圧となるように均圧化される。
【００３５】
以上の（ｉ）〜（ｉｖ）の段階を１サイクルとして、吸着塔５１０ａと吸着塔５１０ｂとにおいて酸素ガスの吸着および脱着が交互に繰り返され、原料ガスから窒素ガスが分離濃縮された製品ガスが調製される。再度行われる（ｉ）の段階では、（ｉｉｉ）の段階において説明したと同様に、（ｉｖ）の段階において均圧化された際に、吸着塔５１０ｂ内は略大気圧か負圧となっており、従来のシステムのような大きな残圧は発生していない。そのため、再度の（ｉ）の段階において吸着塔５１０ｂから排気される窒素ガスは少ない。
【００３６】
なお、１サイクルは、たとえば、８２〜２６０秒で実施することができる。この場合、吸着塔５１０ａの吸着工程（（ｉ）の段階）を４０〜１２０秒で行い、均圧工程（放出）（（ｉｉ）の段階）を１〜１０秒で行い、脱着工程（（ｉｉｉ）の段階）を４０〜１２０秒で行い、均圧工程（回収）（（ｉ）の段階）を１〜１０秒で行うことができる。
【００３７】
また、窒素分離装置５００は、このように少なくとも２基の吸着塔により交互に酸素ガスの吸着と脱着とを繰り返すことのできる構成であればよい。そのため、吸着塔の数は、２基以上であれば特に限定されない。この場合、たとえば２基の吸着塔を備える窒素分離装置を２台並列に設けてブロワー４００と接続し、合計４台の吸着塔を使用して窒素ガスの分離濃縮を行ってもよく、１台の窒素分離装置に３基以上の吸着塔を設置してもよい。吸着塔の数は、窒素ガス濃縮システムの設置スペースの大きさや、分離濃縮すべき窒素ガスの量、貯留空間の容積等に応じて、適宜選択される。
【００３８】
窒素分離装置５００の説明に戻り、窒素分離装置５００には、製品槽５２０の下流側に流量計５４０が設けられていることが好ましい。また、製品槽５２０の下流側と流量計５４０の上流側とを接続するガス循環経路３００には、酸素濃度計５３０が接続されていることが好ましい。流量計５４０は、製品槽５２０の一次貯留空間５２１から貯留空間２１０に供給される製品ガスの流量を計測する。酸素濃度計５３０は、製品ガスの酸素ガス濃度を計測する。これら流量計５４０および酸素濃度計５３０により、貯留庫２００の貯留空間２１０に供給される製品ガスの流量および製品ガス中の酸素ガス濃度が適切に管理される。
【００３９】
（真空ポンプ）
真空ポンプ６００は、吸着塔の分子篩炭素に吸着された酸素ガスの脱着を補助するための装置である。真空ポンプ６００は、一端が窒素分離装置５００内の吸着塔の上流側のガス循環経路３００に接続され、他端が外部に解放された排気管３１０の途中に設けられている。排気管３１０のうち、真空ポンプ６００の上流側には、外気（空気）を排気管３１０に供給するための供給配管３２０と、該配管内に設置されたバルブ（上記したバルブＶ９）とが設けられている。
【００４０】
真空ポンプ６００は、脱着工程において使用される。すなわち、本実施形態の窒素ガス濃縮システム１００では、（ｉｉ）や（ｉｖ）の段階において説明したように、均圧工程（放出）において両吸着塔内は略大気圧か負圧とされるが、このような圧力下では酸素ガスは分子篩炭素から充分に脱着されない場合がある。そこで、本実施形態では、真空ポンプ６００により脱着工程に付される吸着塔（たとえば（ｉ）の段階における吸着塔５１０ｂ）内を減圧して、酸素ガスの脱着を補助する。これにより、常圧（０ＭＰａ程度）で脱着するよりも、多くの酸素ガスを脱着することができる。その結果、単位体積あたりの原料ガスから吸着することのできる酸素ガスの量が多くなる。なお、（ｉｉ）や（ｉｖ）の段階では、吸着塔と真空ポンプ６００とは連通されていない。そのため、真空ポンプの負荷を軽減するために、供給配管３２０から外気を吸入している。
【００４１】
本実施形態の窒素ガス濃縮システム１００によれば、ガス循環経路３００によりガスを循環しながら上記（ｉ）〜（ｉｖ）の段階を繰り返し実行することにより、空気を原料ガスとして、高濃度の窒素ガスを含む製品ガスを製造することができる。その際、本実施形態の窒素ガス濃縮システム１００では、ブロワー４００によって吸着工程における吸着塔５１０ａまたは吸着塔５１０ｂの塔内の圧力が０．０５〜０．１５ＭＰａとなるように、原料ガスが供給される。また、一方の吸着塔が吸着工程に付されている間、他方の吸着塔は、脱着工程に付されており、真空ポンプ６００により真空引きがされている。そのため、酸素ガスの吸着後に均圧化された両吸着塔内の圧力は、略大気圧か負圧となる。その結果、均圧時に吸着塔内に存在する製品ガスの残圧が低くなるため、続く脱着工程において排気される製品ガスの量を減らすことができる。したがって、大気ガスの吸込み量が減少し、原料ガス中の酸素濃度が低下するため、効率よく高濃度の窒素ガスを含む製品ガスを得ることができ、エネルギー効率が向上する。特に、均圧工程時に両吸着塔内の圧力が負圧になる場合とは、吸着工程終了時に到達する吸着圧力の絶対値と、脱着工程終了時に到達する脱着圧力の絶対値とを比較した場合に、脱着圧力の絶対値の方が吸着圧力の絶対値よりも大きくなっている場合である。このように吸着圧力を高くするよりも脱着圧力をより低くした方が、省エネルギー効果が得られる。また、吸着圧力が低い場合、ブロワー４００の仕様圧力も低くすることができる。そのため、ブロワー４００により加圧された原料ガスの温度上昇が防がれ、冷却装置８００への負荷が低減される。
【００４２】
次に、本実施形態の窒素ガス濃縮システム１００が好ましく備える構成について説明する。窒素ガス濃縮システム１００は、冷却装置８００と、接続管路９１０と、原料ガス圧調整装置９００とを備えることが好ましい。
【００４３】
（冷却装置８００）
本実施形態の窒素ガス濃縮システム１００は、冷却装置８００を備えることが好ましい。ブロワー４００から窒素分離装置５００に供給される原料ガスは、吸着塔における酸素ガスの吸着効率を向上させるため、たとえば２０〜５０℃程度に調温されていることが好ましい。そこで、窒素ガス濃縮システム１００は、ブロワー４００の下流側に冷却装置８００を備えることが好ましい。冷却装置８００によれば、ブロワー４００により加圧された原料ガスを上記温度範囲内に調節することができるため、吸着塔において酸素ガスが吸着されやすく、窒素ガスの分離濃縮効率が上昇する。なお、冷却装置８００としては特に限定されず、たとえば空冷方式、水冷方式等を採用した公知の冷却装置を使用することができる。
【００４４】
（原料ガス圧調整装置）
本実施形態の窒素ガス濃縮システム１００は、原料ガス圧調整装置９００を備えることが好ましい。
【００４５】
すなわち、原料ガスから窒素ガスを分離濃縮する場合、２基の吸着塔を連通させる均圧工程が行われる（図２参照）。この際、窒素分離装置５００への原料ガスの供給が遮断されることとなる。このような状態でガス循環経路３００内を原料ガスが流通させ続けると、窒素分離装置５００の上流側において原料ガス圧が上昇し、故障等の原因となる可能性がある。そこで、窒素分離装置５００への原料ガスの供給が遮断される際には、原料ガスをブロワー４００の前後において循環させることが好ましい。
【００４６】
そのため、窒素ガス濃縮システム１００で、ブロワー４００の下流側に、該下流側とブロワー４００の上流側とを接続する接続管路９１０が設けられ、該接続管路９１０内に原料ガス圧調整装置９００が設けられることが好ましい。このような接続管路９１０および原料ガス圧調整装置９００を設けることにより、窒素ガス濃縮システム１００では、ブロワー４００から窒素分離装置５００に供給される原料ガスの一部または全部を再度ブロワー４００の上流側へ戻すことができる。その結果、吸着塔の上流側において原料ガスが必要以上に加圧されることを防ぐことができるとともに、ブロワー４００の故障を防ぐことができる。ほかにも、たとえば原料ガスを供給しない均圧工程や、吸着塔内の圧力が高まって原料ガスが供給されにくくなった吸着工程の後半など、加圧された原料ガスが余剰に存在している場合には、ブロワー４００により余剰の原料ガスが大気中に放出されることを防ぐことができる。また、これにより、窒素分離装置５００に大気ガスを供給することを低減することができ、窒素分離装置５００の性能低下を防ぐことができる。なお、ブロワー４００の下流側において接続管路９１０が接続される位置は、冷却装置８００の上流側であってもよく、冷却装置８００の下流側であってもよい。接続管路９１０が冷却装置８００の上流側に接続される場合には、冷却装置８００への負担が軽減される。また、接続管路９１０が冷却装置８００の下流側に接続される場合には、冷却装置８００により原料ガスが充分に冷却され、吸着塔における酸素ガスの吸着率が向上し得る。
【００４７】
＜窒素ガス濃縮システムの用途＞
次に、本実施形態の窒素ガス濃縮システム１００の用途について説明する。窒素ガス濃縮システム１００は、貯留庫２００の貯留空間２１０内に、高濃度の窒素ガスを含む製品ガスを貯留することができる。そのため、貯留庫２００は、窒素ガス雰囲気とすることにより所望の効果が得られる用途に好適に使用することができる。
【００４８】
このような用途としては、たとえば、青果物を保存するための保管庫としての用途が挙げられる。この場合、窒素ガス濃縮システム１００は、貯留空間２１０内を高濃度の窒素ガス雰囲気とすることにより、貯留空間２１０内に搬入された青果物の呼吸を抑制し、鮮度の低下を防ぐことができる。
【００４９】
ほかにも、貯留庫２００は、書物の薫蒸、煙草の薫蒸または文化財の殺虫処理を行うための処理庫としての用途もある。この場合、窒素ガス濃縮システム１００は、貯留空間２１０内を高濃度の窒素ガス雰囲気とすることにより、貯留空間２１０内に搬入された書物や煙草を薫蒸したり、文化財を殺虫処理することができる。なお、本明細書において、文化財としては、たとえば絵画、彫刻、工芸品、書跡等の文化的所産をいう。
【００５０】
（第２の実施形態）
次に、本発明の窒素ガス濃縮システムの他の実施形態について、図面を参照しながら説明する。図３は、本発明の一実施形態の窒素ガス濃縮システムの概略図である。
【００５１】
図３に示されるように、本実施形態の窒素ガス濃縮システム１０１は、第１の実施形態の窒素ガス濃縮システム１００における流量計５４０およびバルブＶ１０に代えて、流量調節装置５４１が設けられており、貯留庫２００内に酸素濃度計２２０が設けられている以外は、第１の実施形態の窒素ガス濃縮システム１００と同様の構成である。そのため、重複する構成については同一の参照符号を付して説明を適宜省略する。
【００５２】
（酸素濃度計）
本実施形態の窒素ガス濃縮システム１０１には、貯留空間２１０内に酸素濃度計２２０が設置されている。酸素濃度計２２０は、有線または無線により後述する流量調節装置５４１と接続されており、貯留空間２１０内の酸素濃度の計測値を流量調節装置５４１にフィードバックする。
【００５３】
（流量調節装置）
また、本実施形態の窒素分離装置５０１は、製品槽５２０の下流側に流量調節装置５４１を備える。流量調節装置５４１は、酸素濃度計２２０により計測された酸素濃度の計測値のフィードバックを受けて、貯留空間２１０に供給する製品ガスの流量を段階的に調節することができる。
【００５４】
具体的には、流量調節装置５４１は、たとえば貯留空間２１０内の酸素ガス濃度が高い場合（すなわち窒素ガス濃度が低い場合）には、貯留空間２１０に多くの製品ガスが供給されるよう流量を調整して、貯留空間２１０内の窒素ガス濃度を素早く上昇させることができる。その後、流量調節装置５４１は、貯留空間２１０内の酸素ガス濃度が低くなった場合（すなわち窒素ガス濃度が高められた場合）には、貯留空間２１０に供給される製品ガスの流量が少なくなるように調整して、置換効率を高めることができる。その結果、窒素ガス濃縮システム１０１は、効率よく貯留空間２１０内の製品ガス中の窒素ガス濃度を高めることができる。より具体的には、たとえば、貯留空間２１０内に９８体積％の窒素ガスを含む製品ガスが貯留されるよう窒素ガス濃縮システム１０１を運転する場合には、製品ガスの窒素ガス濃度は、９８体積％よりも高い濃度（たとえば９９体積％）とする必要がある。ここで、窒素ガス濃縮システム１０１の運転開始時には、貯留空間２１０内には、空気（酸素ガス濃度約２０体積％）が存在しており、酸素ガス濃度が高い。そのため、まずは貯留空間２１０に供給される製品ガスの流量が多くなるよう流量調節装置５４１を制御して、貯留空間２１０内の空気と製品ガスとの置換効率を高めることができる。この場合、窒素分離装置５０１より供給される製品ガスの流量が多くなると、製品ガス中の窒素ガス濃度は低くなる（９８体積％を下回る場合もある）と推定されるが、貯留空間２１０内における窒素ガスの置換効率は向上する。一方、貯留空間２１０内の窒素ガス濃度がある程度高められた場合には、窒素ガス濃度の高い製品ガスを供給しなければ、貯留空間２１０内に貯留される製品ガスの濃度を上記した９８体積％とすることができない。そのため、流量調節装置５４１は、貯留空間２１０内の製品ガスの酸素ガス濃度がある値以下（たとえば製品ガス中１０体積％以下）となったことが酸素濃度計２２０によりフィードバックされた場合に、段階的に製品ガスの流量を減少させて、製品ガス中の窒素ガス濃度を高めることが好ましい。これにより、置換効率を大幅に低下させること無く、効率よく貯留空間２１０内の製品ガスにおける窒素ガス濃度を高め、目標の窒素ガス濃度である９８体積％に到達させることができる。
【００５５】
以上、本実施形態の窒素ガス濃縮システム１０１によれば、貯留空間２１０内の酸素濃度の検出値に応じて、貯留空間２１０に供給する製品ガスの流量を調節することができる。その結果、貯留空間２１０内に貯留される製品ガスの窒素ガス濃度を効率よく高めることができる。したがって、窒素ガス濃縮システム１０１は、運転時間がさらに短くなり、エネルギー効率がさらに向上する。
【実施例】
【００５６】
以下に、実施例を挙げて本発明を具体的に説明するが、本発明は、これらに限定されるものではない。
【００５７】
（実施例１）
図１に示される窒素ガス濃縮システム１００を使用し、貯留庫２００に貯留されたガスと外部から吸入したガス（大気）との混合ガスを原料ガスとし、原料ガスから窒素ガスを分離濃縮し、時間の経過とともに９７．８〜９９．４体積％に変化していく窒素ガスを含む製品ガスを、貯留空間２１０に供給した。その際の両吸着塔における吸着および脱着のサイクル時間は１２６秒とした。内訳は、酸素ガスの吸着工程に６０秒、均圧工程（放出）に３秒、脱着工程に６０秒および均圧工程（回収）に３秒とした。吸着時の吸着塔の圧力が０．０５ＭＰａとなるようブロワー４００により原料ガスを供給し、脱着時の吸着塔の圧力が−０．０９ＭＰａとなるまで真空ポンプ６００により減圧した。均圧工程時の両吸着塔内の圧力は、−０．０２ＭＰａであった。貯留空間２１０の容積は３５０ｍ３とした。製品ガスの供給量は４５Ｎｍ３／ｈｒとした。貯留空間２１０内の製品ガスの窒素ガス濃度が９８体積％となるまで窒素ガス濃縮システム１００を運転した。窒素ガス濃縮システム１００の運転時における製品ガス中の窒素ガス濃度と、貯留空間２１０内の窒素ガス濃度について図４に示す。また、窒素ガス濃度が９８体積％に到達するまでに要した時間（到達時間）と吸着時の圧力との関係を図５に示す。さらに、消費電力量と吸着時の圧力との関係を図６に示す。
【００５８】
（実施例２）
吸着時の吸着塔の圧力を０．１ＭＰａとした以外は、実施例１と同様の方法により窒素ガス濃縮システム１００を運転した。均圧工程時の両吸着塔内の圧力は、０．０１ＭＰａであった。到達時間と吸着時の圧力との関係を図５に示す。また、消費電力量と吸着時の圧力との関係を図６に示す。
【００５９】
（実施例３）
吸着時の吸着塔の圧力を０．１５ＭＰａとした以外は、実施例１と同様の方法により窒素ガス濃縮システム１００を運転した。均圧工程時の両吸着塔内の圧力は、０．０３ＭＰａであった。到達時間と吸着時の圧力との関係を図５に示す。また、消費電力量と吸着時の圧力との関係を図６に示す。
【００６０】
（比較例１）
吸着時の吸着塔の圧力を０．０１ＭＰａとした以外は、実施例１と同様の方法により窒素ガス濃縮システム１００を運転した。均圧工程時の両吸着塔内の圧力は、−０．０４ＭＰａであった。到達時間と吸着時の圧力との関係を図５に示す。また、消費電力量と吸着時の圧力との関係を図６に示す。
【００６１】
（比較例２）
吸着時の吸着塔の圧力を０．２ＭＰａとした以外は、実施例１と同様の方法により窒素ガス濃縮システム１００を運転した。均圧工程時の両吸着塔内の圧力は、０．０６ＭＰａであった。到達時間と吸着時の圧力との関係を図５に示す。また、消費電力量と吸着時の圧力との関係を図６に示す。
【００６２】
（比較例３）
吸着時の吸着塔の圧力を０．２５ＭＰａとした以外は、実施例１と同様の方法により窒素ガス濃縮システム１００を運転した。均圧工程時の両吸着塔内の圧力は、０．０８ＭＰａであった。到達時間と吸着時の圧力との関係を図５に示す。また、消費電力量と吸着時の圧力との関係を図６に示す。
【００６３】
（比較例４）
図７に示される窒素ガス濃縮システム１０２を使用し、空気を原料ガスとして窒素ガスを分離濃縮し、窒素ガスを９９体積％含む製品ガスを調製し、貯留空間２１０に供給した。この窒素ガス濃縮システム１０２では、空気圧縮装置４０１（コンプレッサ）より取り込まれた原料ガス（空気）を乾燥装置８０１（乾燥条件：大気圧露点−１７℃以下）により乾燥し、以下の条件により窒素ガスを分離濃縮して、貯留空間２１０に供給した。貯留空間２１０には、バルブＶ１１を備えた接続管路６０２により、貯留空間２１０内のガスを外部に排出する庫内圧力調整装置６０１を接続した。庫内圧力調整装置６０１により、供給される製品ガスと貯留空間２１０内に貯留されたガスとを随時交換しながら貯留空間２１０内の窒素ガス濃度を高めた。貯留空間２１０内の窒素ガス濃度が９８体積％に到達するまでの時間が、実施例１の窒素ガス濃縮システム１００と同程度となる、空気圧縮装置４０１や窒素分離装置５０２の機器構成により比較した。窒素分離装置５０２の吸着塔のサイクル時間は、１２６秒とした。内訳は、酸素ガスの吸着工程に６０秒、均圧工程（放出）に３秒、脱着工程に６０秒および均圧工程（回収）に３秒とした。吸着時の吸着塔の圧力は０．７０ＭＰａとなり、脱着時の吸着塔の圧力は０ＭＰａとなった。均圧工程時の両吸着塔内の圧力は、０．３０ＭＰａであった。貯留空間２１０の容積は３５０ｍ３とした。製品ガスの供給量は５０Ｎｍ３／ｈｒとした。貯留空間２１０内の製品ガスの窒素ガス濃度が９８体積％となるまで窒素ガス濃縮システム１０２を運転した。到達時間と吸着時の圧力との関係を図５に示す。また、消費電力量と吸着時の圧力との関係を図６に示す。
【００６４】
（実施例４）
図３に示される窒素ガス濃縮システム１０１を使用し、窒素ガス流量を５０Ｎｍ３／ｈｒから４５Ｎｍ３／ｈｒまで段階的に減少させた以外は、実施例２と同様の方法により窒素ガス濃縮システム１０１を運転した。具体的には、運転開始時から５．２ｈｒは窒素ガス流量を５０Ｎｍ３／ｈｒとして運転した。貯留空間２１０内に設置された酸素濃度計により貯留空間２１０における酸素ガス濃度が１０体積％となったことが確認された後、５．２〜１０．３ｈｒまでは窒素ガス流量を４９Ｎｍ３／ｈｒとして運転した。貯留空間２１０内に設置された酸素濃度計により貯留空間２１０における酸素ガス濃度が５体積％となったことが確認された後、１０．３〜１５．６ｈｒまでは窒素ガス流量を４８Ｎｍ３／ｈｒとして運転した。貯留空間２１０内に設置された酸素濃度計により貯留空間２１０における酸素ガス濃度が２．５体積％となったことが確認された後、１５．６ｈｒから到達時間までは窒素ガス流量を４５Ｎｍ３／ｈｒとして運転した。到達時間と吸着時の圧力との関係を図５に示す。また、消費電力量と吸着時の圧力との関係を図６に示す。
【００６５】
図５に示されるように、ブロワーにより吸着工程における吸着塔内の圧力が０．０５〜０．１５ＭＰａとなるように調整した実施例１〜４のシステムによれば、製品ガス中の窒素ガス濃度が９８体積％となるまでに要した時間（到達時間）は、１７〜２１．５時間と短時間であった。一方、吸着塔内の圧力を上記範囲からはずれるように調整した比較例１〜３のシステムによれば、到達時間は、２７〜３６．５時間と長時間であった。特に、従来のように吸着塔内の圧力を０．２５ＭＰａとした比較例３のシステムでは、到達時間は、３６．５時間と長時間であった。
【００６６】
また、図６に示されるように、ブロワーにより吸着工程における吸着塔内の圧力が０．０５〜０．１５ＭＰａとなるように調整した実施例１〜４のシステムによれば、製品ガス中の窒素ガス濃度が９８体積％となるまでの消費電力量は、９５〜１１５ｋＷｈと小さかった。一方、吸着塔内の圧力を上記範囲からはずれるように調整した比較例１〜３のシステムによれば、消費電力量は、１５５〜２５０ｋＷｈと大きかった。特に、従来のように吸着塔内の圧力を０．２５ＭＰａとした比較例３のシステムでは、消費電力量は、２５０ｋＷｈと大きかった。
【００６７】
さらに、従来のようにコンプレッサ（空気圧縮装置４０１）を使用して吸着工程における吸着塔内の圧力が０．７ＭＰａとなる比較例４のシステムでは、図５に示されるように到達時間が実施例１のシステムと同程度となる、空気圧縮装置４０１や窒素分離装置５０２の機器構成の場合において、図６に示されるように、消費電力量が３７５ｋＷｈと極めて大きくなることが判った。これは、真空引きがなく、貯留空間２１０内に貯留されたガスも循環利用されないため、原料ガスが多く必要となり、空気圧縮装置４０１の消費電力（消費電力量）が増加するためと推測された。
【００６８】
これらの結果より、本発明の実施例１〜４の窒素ガス濃縮システムによれば、９８体積％の窒素ガスを含む製品ガスを、短時間かつ優れたエネルギー効率で調整できることが判った。すなわち、分子篩炭素が高圧条件下において酸素ガスの吸着能が増大するとの性質を有しているにもかかわらず、本発明の窒素ガス濃縮システムでは、ブロワーにより吸着工程における吸着塔内の圧力が従来よりも低くなるように調整した場合に、窒素ガスの分離濃縮効果が高まり、消費電力量も抑えられるという予期せぬ効果が得られることが判った。また、実施例２と実施例４の結果から判るように、貯留空間に供給される製品ガスの流量を段階的に調整することにより、さらに到達時間が短くなり、かつ、消費電力量が抑えられることが判った。
【産業上の利用可能性】
【００６９】
本発明は、窒素ガスと酸素ガスとを含む原料ガスから窒素ガスを分離濃縮し、倉庫等の内部空間に高濃度の窒素ガスを含む製品ガスを貯留させることのできる窒素ガス濃縮システムである。そのため、本発明は、たとえば高濃度の窒素ガスを貯留させて青果物を保存する貯蔵庫や、書物や煙草の薫蒸または文化財の殺虫処理を行う保管庫等を提供する技術分野において好適に利用することができる。
【符号の説明】
【００７０】
１００、１０１、１０２  窒素ガス濃縮システム
２００  貯留庫
２１０  貯留空間
２２０、５３０  酸素濃度計
３００  ガス循環経路
３１０  排気管
３２０  供給配管
４００  ブロワー
４０１  空気圧縮装置
５００、５０１、５０２  窒素分離装置
５１０ａ、５１０ｂ  吸着塔
５２０  製品槽
５２１  一次貯留空間
５４０  流量計
５４１  流量調節装置
６００  真空ポンプ
６０１  庫内圧力調整装置
６０２  接続管路
７００  外気吸入口
７１０  接続管路
８００  冷却装置
８０１  乾燥装置
９００  原料ガス圧調整装置
９１０  接続管路
Ｖ１〜Ｖ１１  バルブ
【図１】
2015024349.tif 000003
【図２】
2015024349.tif 000004
【図３】
2015024349.tif 000005
【図４】
2015024349.tif 000006
【図５】
2015024349.tif 000007
【図６】
2015024349.tif 000008
【図７】
2015024349.tif 000009